【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
歯の歯周複合体および囲繞組織の１つまたは複数の構成要素の電気刺激のためのデバイスであって、
少なくとも２つの電極であって、前記少なくとも２つの電極は、少なくとも、硬性の電気伝導性材料の第１の電極と、硬性の電気伝導性材料の第２の電極とを備え、前記第１の電極および前記第２の電極は、前記第１の電極の端部と前記第２の電極の端部との間の距離が、単一歯の歯根構造に隣接しかつ前記歯根構造の歯周靭帯に沿った口腔粘膜および付着歯肉への前記第１の電極および前記第２の電極の適用を可能にするように、固定された空間関係にある、少なくとも２つの電極と、
前記第１の電極および前記第２の電極に電気的に接続された電気回路であって、前記電気回路は、所定の刺激パラメータに従った波形を含む電気刺激を提供する出力を有する、電気回路と
を備え、前記第１の電極および前記第２の電極が、前記単一の歯の歯根構造に隣接しかつ前記歯根構造の歯周靭帯に沿った前記口腔粘膜および付着歯肉に適用されるときに、前記電気回路は、アクティブ化されると、前記第１の電極および前記第２の電極を通して前記電気刺激を出力する、デバイス。
【請求項２】
前記電気刺激は、歯の歯周複合体のために治療上効果的な電気刺激である、請求項１に記載のデバイス。
【請求項３】
前記電気刺激は、前記歯周複合体の痛みを緩和するために治療上効果的な電気刺激である、請求項２に記載のデバイス。
【請求項４】
前記電気刺激は、歯の移動を増加させるために治療上効果的な電気刺激である、請求項１〜３のいずれか一項に記載のデバイス。
【請求項５】
手持式であるように構成されている筐体をさらに備え、前記第１の電極および前記第２の電極は、前記筐体の第１の端部に搭載されている、請求項１〜４のいずれか一項に記載のデバイス。
【請求項６】
前記電気回路をアクティブ化するスイッチをさらに備える、請求項１〜５のいずれか一項に記載のデバイス。
【請求項７】
前記スイッチは、電気機械的スイッチである、請求項６に記載のデバイス。
【請求項８】
前記スイッチは、前記電気回路をアクティブ化するように構成されているコントローラである、請求項６に記載のデバイス。
【請求項９】
前記スイッチは、前記電気回路を含む筐体上に搭載される、請求項６〜８のいずれか一項に記載のデバイス。
【請求項１０】
前記波形は、パルス周波数を有する複数のパルスを含む、請求項１〜９のいずれか一項に記載のデバイス。
【請求項１１】
前記波形は、第１のエンベロープ内の前記パルス周波数における正極性の第１の複数のパルスと、第２のエンベロープ内の前記パルス周波数における負極性の第２の複数のパルスとを含み、前記第１および第２の複数のエンベロープ間の遷移は、遷移周波数において生じる、請求項１０に記載のデバイス。
【請求項１２】
前記電気刺激は、組織成長を増大させるために治療上効果的な電気刺激である、請求項１に記載のデバイス。
【請求項１３】
前記電気刺激は、増加した細胞活動を刺激するために治療上効果的な電気刺激である、請求項１〜１１のいずれか一項に記載のデバイス。
【請求項１４】
前記電気刺激は、口内の前記歯周複合体、付着歯肉、および粘膜、ならびに囲繞組織の構成要素に影響を及ぼす疾患のために治療上効果的な電気刺激である、請求項１〜１１、１３のいずれか一項に記載のデバイス。
【請求項１５】
前記電気刺激は、歯牙萌出の痛みを低減させるために治療上効果的な電気刺激である、請求項１に記載のデバイス。
【手続補正２】
【補正対象書類名】明細書
【補正対象項目名】０００８
【補正方法】変更
【補正の内容】
【０００８】
以下の説明では、付随の図面が参照され、図面は、本明細書の一部を形成し、図面において、例として、本技法の具体的例示的実装が示される。他の実施形態が、利用されてもよく、構造変更が、本開示の範囲から逸脱することなく、行われてもよいことを理解されたい。
本発明は、例えば、以下を提供する。
（項目１）
歯の歯周複合体および囲繞組織の１つまたは複数の構成要素の電気刺激のためのデバイスであって、
固定された空間関係における、硬性の電気伝導性材料の少なくとも２つの電極であって、前記少なくとも２つの電極は、単一歯の歯根構造に隣接しかつ前記歯根構造の歯周靭帯に沿った口腔粘膜および付着歯肉への適用のために構成されている、少なくとも２つの電極と、
前記少なくとも２つの電極への電気接続のために構成されている電気回路であって、前記電気回路は、所定の刺激パラメータに従った波形を含む感覚閾値下電気刺激を提供する出力を有する、電気回路と、
スイッチであって、前記電極が、前記歯の歯根構造に隣接しかつ前記歯根構造の歯周靭帯に沿った前記口腔粘膜および付着歯肉に適用されるときにアクティブ化されると、前記電気回路をアクティブ化することにより、前記少なくとも２つの電極を通して前記電気刺激を出力する、スイッチと
を備える、デバイス。
（項目２）
手持式であるように構成されている筐体をさらに備え、前記少なくとも２つの電極は、前記筐体の第１の端部に搭載されている、項目１に記載のデバイス。
（項目３）
前記少なくとも２つの電極は、
第１の機械的コネクタおよび第１の電気接続を有する基部を備え、前記少なくとも２つの電極は、前記基部に搭載され、
前記筐体は、前記基部の第１の機械的コネクタとの嵌合構成を有する第２の機械的コネクタと、前記基部の前記第１の電気接続との嵌合構成を有する第２の電気接続とを有し、
それによって、前記基部は、前記筐体に取り外し可能に接続可能である、項目２に記載のデバイス。
（項目４）
前記電気回路は、前記筐体に搭載される、項目２または３のいずれかに記載のデバイス。
（項目５）
前記電気回路は、前記筐体内に搭載され、前記電気回路の出力は、前記筐体の第２の電気接続に接続される、項目２または３のいずれかに記載のデバイス。
（項目６）
前記スイッチは、前記筐体上に搭載される、項目２から５のいずれかに記載のデバイス。
（項目７）
前記スイッチは、機械的スイッチである、項目１から６のいずれかに記載のデバイス。
（項目８）
前記スイッチは、電気機械的スイッチである、項目１から６のいずれかに記載のデバイス。
（項目９）
前記スイッチは、前記電気回路をアクティブ化するように構成されているコントローラである、項目１から６のいずれかに記載のデバイス。
（項目１０）
複数の歯の歯周複合体および囲繞組織の１つまたは複数の構成要素の電気刺激のためのデバイスであって、
前記複数の歯の周囲に配置されるように成形されている筐体と、
固定された空間関係における複数の対の電極であって、前記複数の対の電極は、前記筐体が前記複数の歯を囲繞するように位置付けられると、各対の電極が、前記複数の歯のうちの対応する歯の歯根構造に隣接しかつ前記歯根構造の歯周靭帯に沿った口腔粘膜および付着歯肉と接触して配置されるように、前記歯の位置に対応する前記筐体に沿った場所に搭載される、複数の対の電極と、
前記複数の対の電極への電気接続のために構成されている電気回路であって、前記電気回路は、所定の刺激パラメータに従った波形を含む感覚閾値下電気刺激を提供する出力を有する、電気回路と、
スイッチであって、前記筐体が、前記複数の歯の周囲に位置付けられるときにアクティブ化されると、前記電気回路をアクティブ化することにより、前記複数の対の電極のうちの少なくとも１つの対の電極を通して前記電気刺激を出力する、スイッチと
を備える、デバイス。
（項目１１）
前記電気刺激は、歯の歯周複合体のために治療上効果的な電気刺激である、項目１から１０のいずれかに記載のデバイス。
（項目１２）
前記電気刺激は、歯周痛みを緩和するために治療上効果的な電気刺激である、項目１から１１のいずれかに記載のデバイス。
（項目１３）
前記電気刺激は、歯の移動を増加させるために治療上効果的な電気刺激である、項目１から１１のいずれかに記載のデバイス。
（項目１４）
前記波形は、パルス周波数を有する複数のパルスを含む、項目１から１３のいずれかに記載のデバイス。
（項目１５）
前記波形は、第１のエンベロープ内の前記パルス周波数における正極性の第１の複数のパルスと、第２のエンベロープ内の前記パルス周波数における負極性の第２の複数のパルスとを含み、前記第１のエンベロープと第２のエンベロープとの間の遷移は、遷移周波数において生じる、項目１４に記載のデバイス。
（項目１６）
前記パルス周波数は、１ｋＨｚ〜１２ｋＨｚの範囲内である、項目１４または１５に記載のデバイス。
（項目１７）
前記所定の刺激パラメータは、前記電気刺激の電流を含み、前記電流は、１０ミリアンペア未満である、項目１から１６のいずれかに記載のデバイス。
（項目１８）
前記所定の刺激パラメータは、前記電気刺激の持続時間を含み、前記持続時間は、１０秒より長く２０分より短い時間量である、項目１から１７のいずれかに記載のデバイス。
（項目１９）
項目１から１８のいずれかに記載のデバイスを使用して、歯の歯周複合体および囲繞組織の１つまたは複数の構成要素の電気刺激のためのプロセスであって、
前記デバイスの電極を、単一歯の歯根構造に隣接しかつ前記歯根構造の歯周靭帯に沿った口腔粘膜および付着歯肉上に配置することと、
前記スイッチをアクティブ化することにより、前記デバイスの電極が配置されている間、前記電気回路に前記電気刺激を発生させることと
を含む、プロセス。
（項目２０）
前記電気刺激は、歯周痛みを緩和するために治療上効果的な電気刺激である、項目１９に記載のプロセス。